【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】情報処理装置、情報処理装置の制御方法、及び制御プログラム
【手続補正２】
【補正対象書類名】明細書
【補正対象項目名】特許請求の範囲
【補正方法】変更
【補正の内容】
【特許請求の範囲】
【請求項１】
表示手段を有する情報処理装置において、
少なくとも通常画面とメンテナンス画面とを、前記表示手段に表示設定する表示設定手段を備え、
前記表示設定手段は前記メンテナンス画面を前記通常画面よりも表示の優先順位を高く設定し、
前記メンテナンス画面は、該情報処理装置がサービスを停止している状態であることを示すサービス停止画面と、前記サービス停止画面を設定するための設定画面とを少なくとも含み、
前記表示設定手段はさらに前記設定画面を前記サービス停止画面よりも表示の優先順位を高く設定することを特徴とする情報処理装置。
【請求項２】
前記表示設定手段は、該情報処理装置の状態に依存することなく、前記設定画面における設定に応じて、前記サービス停止画面を表示設定することを特徴とする請求項１記載の情報処理装置。
【請求項３】
前記サービス停止画面の表示中は、前記表示手段からの操作を受け付けないことを特徴とする請求項１又は２記載の情報処理装置。
【請求項４】
前記表示設定手段は、特別なキー操作もしくはパスワードの入力に基づき前記設定画面を表示設定することを特徴とする請求項１乃至３いずれか１項に記載の情報処理装置。
【請求項５】
表示手段を有する情報処理装置の制御方法であって、
少なくとも通常画面とメンテナンス画面とを、前記表示手段に表示設定する表示設定工程を含み、
前記表示設定工程は前記メンテナンス画面を前記通常画面よりも表示の優先順位を高く設定し、
前記メンテナンス画面は、該情報処理装置がサービスを停止している状態であることを示すサービス停止画面と、前記サービス停止画面を設定するための設定画面とを少なくとも含み、
前記表示設定工程はさらに前記設定画面を前記サービス停止画面よりも表示の優先順位を高く設定することを特徴とする情報処理装置の制御方法。
【請求項６】
前記表示設定工程は、該情報処理装置の状態に依存することなく、前記設定画面における設定に応じて、前記サービス停止画面を表示設定することを特徴とする請求項５記載の情報処理装置の制御方法。
【請求項７】
前記サービス停止画面の表示中は、前記表示手段からの操作を受け付けないことを特徴とする請求項５又は６記載の情報処理装置の制御方法。
【請求項８】
前記表示設定工程は、特別なキー操作もしくはパスワードの入力に基づき前記設定画面を表示設定することを特徴とする請求項５乃至７いずれか１項に記載の情報処理装置の制御方法。
【請求項９】
表示手段を有する情報処理装置を制御するためのコンピュータ読み取り可能な制御プログラムであって、
少なくとも通常画面とメンテナンス画面とを、前記表示手段に表示設定する表示設定工程を含み、
前記表示設定工程は前記メンテナンス画面を前記通常画面よりも表示の優先順位を高く設定し、
前記メンテナンス画面は、該情報処理装置がサービスを停止している状態であることを示すサービス停止画面と、前記サービス停止画面を設定するための設定画面とを少なくとも含み、
前記表示設定工程はさらに前記設定画面を前記サービス停止画面よりも表示の優先順位を高く設定することをコンピュータに実行させるためのプログラムコードからなることを特徴とする制御プログラム。
【請求項１０】
前記表示設定工程は、該情報処理装置の状態に依存することなく、前記設定画面における設定に応じて、前記サービス停止画面を表示設定することを特徴とする請求項９記載の制御プログラム。
【請求項１１】
前記サービス停止画面の表示中は、前記表示手段からの操作を受け付けないことを特徴とする請求項９又は１０記載の制御プログラム。
【請求項１２】
前記表示設定工程は、特別なキー操作もしくはパスワードの入力に基づき前記設定画面を表示設定することを特徴とする請求項９乃至１１いずれか１項に記載の制御プログラム。
【手続補正３】
【補正対象書類名】明細書
【補正対象項目名】０００１
【補正方法】変更
【補正の内容】
【０００１】
【発明の属する技術分野】
本発明は、表示手段を有する情報処理装置、情報処理装置の制御方法、及び制御プログラムに関し、特に課金を目的として店舗に設置された情報処理装置、情報処理装置の制御方法、及び制御プログラムに関する。
【手続補正４】
【補正対象書類名】明細書
【補正対象項目名】０００６
【補正方法】変更
【補正の内容】
【０００６】
本発明の目的は、以上のような従来の課題を解決し、店舗を訪問した一般客に対して、品質に対する信頼性の低下を招くことなく、現在通常のサービスが提供できない事を知らせることが可能な、情報処理装置、情報処理装置の制御方法、及び制御プログラムを提供することである。
【手続補正５】
【補正対象書類名】明細書
【補正対象項目名】０００７
【補正方法】変更
【補正の内容】
【０００７】
【課題を解決するための手段】
上述した目的を達成するべく本発明の情報処理装置は、表示手段を有する情報処理装置において、少なくとも通常画面とメンテナンス画面とを、前記表示手段に表示設定する表示設定手段を備え、前記表示設定手段は前記メンテナンス画面を前記通常画面よりも表示の優先順位を高く設定し、前記メンテナンス画面は、該情報処理装置がサービスを停止している状態であることを示すサービス停止画面と、前記サービス停止画面を設定するための設定画面とを少なくとも含み、前記表示設定手段はさらに前記設定画面を前記サービス停止画面よりも表示の優先順位を高く設定することを特徴とする。
さらに好ましくは、前記表示設定手段は、該情報処理装置の状態に依存することなく、前記設定画面における設定に応じて、前記サービス停止画面を表示設定することを特徴とする。
さらに好ましくは、前記サービス停止画面の表示中は、前記表示手段からの操作を受け付けないことを特徴とする。
さらに好ましくは、前記表示設定手段は、特別なキー操作もしくはパスワードの入力に基づき前記設定画面を表示設定することを特徴とする。
【手続補正６】
【補正対象書類名】明細書
【補正対象項目名】０００８
【補正方法】変更
【補正の内容】
【０００８】
上述した目的を達成するべく本発明の情報処理装置の制御方法は、表示手段を有する情報処理装置の制御方法であって、少なくとも通常画面とメンテナンス画面とを、前記表示手段に表示設定する表示設定工程を含み、前記表示設定工程は前記メンテナンス画面を前記通常画面よりも表示の優先順位を高く設定し、前記メンテナンス画面は、該情報処理装置がサービスを停止している状態であることを示すサービス停止画面と、前記サービス停止画面を設定するための設定画面とを少なくとも含み、前記表示設定工程はさらに前記設定画面を前記サービス停止画面よりも表示の優先順位を高く設定することを特徴とする。
さらに好ましくは、前記表示設定工程は、該情報処理装置の状態に依存することなく、前記設定画面における設定に応じて、前記サービス停止画面を表示設定することを特徴とする。
さらに好ましくは、前記サービス停止画面の表示中は、前記表示手段からの操作を受け付けないことを特徴とする。
さらに好ましくは、前記表示設定工程は、特別なキー操作もしくはパスワードの入力に基づき前記設定画面を表示設定することを特徴とする。
【手続補正７】
【補正対象書類名】明細書
【補正対象項目名】０００９
【補正方法】変更
【補正の内容】
【０００９】
上述した目的を達成するべく本発明の制御プログラムは、表示手段を有する情報処理装置を制御するためのコンピュータ読み取り可能な制御プログラムであって、少なくとも通常画面とメンテナンス画面とを、前記表示手段に表示設定する表示設定工程を含み、前記表示設定工程は前記メンテナンス画面を前記通常画面よりも表示の優先順位を高く設定し、前記メンテナンス画面は、該情報処理装置がサービスを停止している状態であることを示すサービス停止画面と、前記サービス停止画面を設定するための設定画面とを少なくとも含み、前記表示設定工程はさらに前記設定画面を前記サービス停止画面よりも表示の優先順位を高く設定することをコンピュータに実行させるためのプログラムコードからなることを特徴とする。
さらに好ましくは、前記表示設定工程は、該情報処理装置の状態に依存することなく、前記設定画面における設定に応じて、前記サービス停止画面を表示設定することを特徴とする。
さらに好ましくは、前記サービス停止画面の表示中は、前記表示手段からの操作を受け付けないことを特徴とする。
さらに好ましくは、前記表示設定工程は、特別なキー操作もしくはパスワードの入力に基づき前記設定画面を表示設定することを特徴とする。